(57)【特許請求の範囲】
【請求項１】
クリーナ用光ディスクのトック信号記録領域に貫通孔を穿ち、この貫通孔にバネ性薄板の周辺部を固着して該バネ性薄板の中心部を前記貫通孔から前記ディスクの表裏面へ露出せしめ、前記バネ性薄板の周辺部と中心部との間に切り込みによる複数本の細巾の連結片を該中心部から該周辺部に向けてうず巻き状に形成し、この連結片によって前記中心部が前記周辺部に連結されるとともに前記中心部が前記周辺部に対して板面方向に弾性変位するようになっており、前記中心部の表面にレンズ清掃用拭材を固着したことを特徴とする光ディスク装置の光ヘッドクリーナ。
【発明の詳細な説明】
【０００１】
【発明の属する技術の分野】
本発明は一般にＣＤ、ＭＯあるいはＤＶＤ等と称される光記録ディスク（光ディスク）の記録面を走査する光ヘッドのレンズを清掃する光ヘッドクリーナに関する。
【０００２】
【従来の技術】
光ディスクあるいは光磁気ディスク（以下、光ディスクと総称する）に記録されている音声や画像等の情報の読出し、あるいは前記光ディスクへの情報の書込み／読出しを行う光ヘッドは、光ディスクの記録領域に対峙する小径のレンズを備え、回転する光ディスクに対してその記録領域を半径方向に往復移動する。長期使用によりレンズ表面に埃りや染み等が付着すると出力に雑音が入り、良好な音声や映像が再現できなくなるので、定期的に、あるいは必要に応じて随時、レンズ表面を清掃しなければならない。
【０００３】
従来、この種の光ヘッドのレンズ清掃は、糸状の拭材を密に並べてブラシ状とし、これをクリーナ本体部たる光ディスク（クリーナディスク）の記録面に植え込み、前記光ディスクの回転動作を利用して光ヘッドがディスク上のブラシ位置を通過するときに該ブラシの先端部でレンズ表面を軽く擦過清掃するという方法がとられている。
【０００４】
図６は従来の光ヘッド用レンズクリーナの平面図であり、図７は図６のクリーナのブラシ位置における部分的な縦断面図である。クリーナ本体部であるクリーナディスク１３は通常の光ディスクと同形状で同じような記録領域３を表面側に有している。記録領域３に隣接してその内側には非記録領域の内側環状帯部（クリアバンド）４が、また外周側には外側環状帯部５が形成され、光ヘッドはこの光クリーナディスク１３の回転と共働して記録領域３の全域を走査するようにディスク上を半径方向に移動する。図示のレンズクリーナは、やや内側に寄った位置の記録領域３内でディスク表面に径方向に伸びる長溝１５が形成され、この長溝１５に例えば極細糸を密に並べてブラシ状にした拭材１６を埋め込み、その先端をディスク表面から大略２ｍｍ程度突出させた構造となっている。このレンズクリーナを光ディスク装置にセットし、前述の如くディスク回転と光ヘッドの径方向移動により、前記光ヘッドのレンズ１２は前記のブラシ状拭材位置を通るときに該拭材で清掃される。
【０００５】
また、ディスクの記録領域が拭材によって邪魔されないように、光ヘッドが記録領域の最内側位置で実際に記録再生に関係するレンズ中心のみを清掃できるようにした光ヘッド用レンズクリーナも提案されており（特開２０００−２３１７３６）、これによれば、クリーナ本体部となる光ディスクの記録領域に隣接しかつ該記録領域を外れた内側の環状帯部に傾斜貫通孔を穿設し、前記貫通孔のディスク裏面側開口位置はディスク表面側開口位置よりもディスク中心側へ寄っており、これによって前記貫通孔はディスク裏面からディスク表面へ向って径方向外側へ倒れるように傾斜しており、前記貫通孔に糸束状の拭材の基部を埋め込んで固定し、前記拭材の先端部を前記光ディスクの内側記録領域部分の上側へ伸長せしめ、これによって前記拭材が前記光ディスク表面の非記録領域から傾斜状態でディスク記録領域の上方へ伸長するようにしている。
【０００６】
【特許文献】
特開２０００−２３１７３６
【０００７】
【発明が解決しようとする課題】
一般に光ディスクは記録領域の最内側の部分にいわゆるトック信号等と称される各種の初期信号が記録されており、この信号を読込んだ後光ヘッドが外周側へ移動し、種々の記録再生の制御がなされる。この点レンズクリーナのディスクも同様であるが、上述したように従来のディスク状レンズクリーナは前記初期信号が書込まれている部分よりもかなり外側、つまり記録領域の途中部分にブラシが設けられているので、初期信号の位置からブラシのある部分までは信号の書込みがなされず、ブラシ位置を過ぎてからレンズ清掃の開始および終了のメッセージや清掃結果の良否、つまり特性向上の確認のための種々のテスト音声、映像等が読出される。したがって光ヘッドが最内側の初期信号を読出した後ブラシ位置を過ぎるまでは無音あるいは無映像の状態がしばらく続き、その間使用者にとっては正常作動かどうか不安を感じるとともに、清掃後の特性確認のための記録領域（ブラシ近傍位置から外側）が狭くなり、清掃後の特性テストや確認のための音声、画像の記録量を充分とることができない。
【０００８】
また、図示従来例のレンズクリーナではブラシ全体の径方向長さＬが３．５〜４ｍｍ程度まで長く伸びており、レンズの表出面全体がブラシ１６に接触する構造のため、清掃時にブラシに付いたほこり等が逆に、実際にレーザ光の出入するレンズ中心箇所に付着させてしまう結果となり、これが雑音となって現れることがあった。ブラシの形状が径方向に大きくのびているため、保管中にもほこり等がこの部分に保持され易いという不具合があった。
【０００９】
さらに従来のものはブラシを埋め込む長溝はディスクを貫通しておらず、底のある溝穴となっているため、この部分に多量の糸状ブラシを植え付ける作業が大変であり、ブラシ固定のための接着剤がディスク表面側へはみ出る等の不都合もあった。
【００１０】
また上述の特開２０００−２３１７３６に係る光ヘッド用レンズクリーナは、拭材をクリーナディスクの非記録領域に取り付け、その先方を記録領域上へ斜めに伸長させてレンズ先端に接触するようにしているため、前記クリーナディスクの記録面自体は拭材に邪魔されることがなく、また、ディスクの傾斜貫通孔に細い糸束状の拭材を挿入、固定するのも容易であり、これらの点でそれなりの効果はあるものの、これを例えばＤＶＤ対応のものに適用しようとすると、光ヘッドのレンズ先端がディスク面の極近位置に接近するため、斜めに長く伸びた糸束状拭材がレンズの先端中心に接触しなくなるという不具合があった。
【００１１】
近年、この種の光ディスク装置は、高密度記録化が進んでおり、精度向上のため動作時に光ヘッドの先端がディスク面に極近する傾向にある。上述した図６の従来例においてもクリーナディスクの高速回転中に不慮の振動等で光ヘッドがディスク面のブラシの保持部あるいは基部に接衝して毀損するおそれがあった。
【００１２】
本発明は上述した従来の問題を解決し、光ヘッドの拭材による清掃に際し、拭材が光ヘッドのレンズに高い接触圧で接当した時に前記拭材の保持部が裏側へ弾性的に逃げることで前記光ヘッドの毀損を防止できるようにした光ディスク装置の光ヘッドクリーナを提供することを目的とする。
【００１３】
本発明の他の目的は、ＤＶＤ対応光ディスク装置のように光ヘッドが光ディスク面に極近位置まで接近するような場合においても、拭材と光ヘッドのレンズ間に常に良好な接触圧が維持され、これによって光ヘッドのレンズ清掃が確実かつ良好になされるとともに、前記光ヘッドが傷付き等の損傷を被らないようにした光ディスク装置の光ヘッドクリーナを提供することにある。
【００１４】
本発明のさらに他の目的は、クリーナディスクに拭材部分を簡単に装着することができ、したがってディスク状クリーナを容易に製造できる光ディスク装置の光ヘッドクリーナを提供することにある。
【００１５】
【課題を解決するための手段】
本発明によれば、クリーナ用光ディスクのトック信号記録領域に貫通孔を穿ち、この貫通孔にバネ性薄板の周辺部を固着して該バネ性薄板の中心部を前記貫通孔から前記ディスクの表裏面へ露出せしめ、前記バネ性薄板の周辺部と中心部との間に切り込みによる複数本の細巾の連結片を該中心部から該周辺部に向けてうず巻き状に形成し、この連結片によって前記中心部が前記周辺部に連結されるとともに前記中心部が前記周辺部に対して板面方向に弾性変位するようになっており、前記中心部の表面にレンズ清掃用拭材を固着したことを特徴とする光ディスク装置の光ヘッドクリーナが提供される。
【００１６】
本発明の１つの形態によれば、クリーナ用光ディスクのトック信号記録領域に貫通孔を穿ち、この貫通孔に、中心部が弾性変位するバネ性薄板を固着し、このバネ性薄板の前記中心部の表面に極細化学繊維を編み付けたベルベットから成るレンズ清掃用拭材を固着し、前記バネ性薄板はその周辺部と前記中央部との間に、切り込みによる細巾の連結片が形成され、この連結片によって前記中央部が前記周辺部に連結され、これによって前記中央部が前記周辺部に対して板面方向に弾性変位するようにした光ディスク装置の光ヘッドクリーナが提供される。
【００１７】
【発明の実施の形態】
次に、本発明を好適な実施形態について図面を参照して説明する。図１は本発明の１実施例に係る光ヘッドクリーナの表面側からみた平面図、図２は図１のＡ−Ａ線に沿った部分的な拡大縦断面図である。また図３は本発明に係る拭材を除去した状態のクリーナ用ディスクの図２と同様部分における拡大縦断面図である。クリーナ用ディスク１は通常の光ディスクと同様の形状および構造を有し、光ディスク装置の回転駆動軸（図示省略）に係合する中心孔２と、ディスク表面の大半部分を占める記録領域３と、この記録領域３に隣接し、該領域３の内側に位置する非記録領域の環状帯部４と、記録領域３の外側に形成され、ディスクの外周面を画成する巾の狭い外側環状帯部５とを有している。なおディスク表面には内側環状帯部４のさらに内側に環状の微小突条部６が形成されている。ここまでの構成はＣＤ、ＭＯ、ＤＶＤなど通常の光ディスクと全く同様である。
【００１８】
非記録領域の内側環状帯部４に隣接して記録領域３にトック信号記録部が存在し、このトック信号記録部に重なるように貫通孔７が形成されている。貫通孔７は前記クリーナ用ディスク１の裏面から表面側（記録面側）へ貫通しており、貫通孔７の孔壁には裏面側開口１０が表面側開口１１よりも若干大径となるように小さな段差部８が形成されている。この段差部８に保持されるようにしてディスク裏面側から前記貫通孔７に、後述するジンバル板のようなバネ性薄板９が装着されている。
【００１９】
バネ性薄板９は図４に拡大して示されるように、表面からみて巾のある周辺部１７と、或る程度の広さをもつ中央部１８と、これらの周辺部１７と中央部１８とを連結する細巾の複数個の連結片１９とで構成され、前記中央部１８に板面方向（板面に対して垂直な方向）の外力がかかった場合、この連結片１９の弾性変形によって前記中央部１８は前記周辺部１７に対して前記板面方向、つまり上下方向に若干弾性変位するようになっている。図４に明示される如く、連結片１９は中央部１８から薄板９の径方向に真直に延びることなく、全体でみて周辺部１７に向けて円弧状態にわん曲して延在している。このように連結片１９が円弧状態にわん曲している形態を、ここでは連結片が中央部１８から周辺部１７へ向けてうず巻き状に形成されていると称することとする。このようにすることで、連結片が真直に半径方向に延びる場合と比べて連結片の長さが長くなり、それだけ中央部１８がごく軽い力で板面方向に押されても中央部１８は周辺部１７に対して確実に大きく変位する。図示の例ではバネ性薄板９は一枚の金属（ステンレススチール）薄板から打抜きプレス加工等によって製造され、したがって連結片１９の部分を画成する薄板の切り込み部分もこの打抜きプレス加工で同時に形成される。なお、バネ性薄板９の厚みは、例えば０．１ｍｍ〜０．３ｍｍ程度である。その材質もステンレス板に限らず、薄銅板、アルミ板その他の材質であってもかまわない。
【００２０】
バネ性薄板９の外径Ｄは、この貫通孔７の裏面側開口１０より若干小さく、表面側開口１１よりやや大きく、したがってバネ性薄板９を貫通孔７の裏面側開口１０から挿入したとき、該薄板９は貫通孔７の前記段差部８に接当し、前記裏面側開口１０から適当な接着剤を用いてバネ性薄板９を固着することができる。勿論、予め薄板周辺部１７に接着剤を薄く塗布しておいて該薄板９を貫通孔７に挿入してもよい。なお、実際には貫通孔７の裏面側開口１０と表面側開口１１の内径差は微小であり、この差を無視した場合の貫通孔７の概略内径は、例えば１７ｍｍ程度である。
【００２１】
バネ性薄板９の中央部１８には極細化学繊維を編み付けたベルベット等の、或る程度厚みのある拭材２０が接着剤によって張り付けられている。この拭材２０の厚みあるいは高さは、適用する光ディスク装置の種類にも依るが、例えばＤＶＤ対応の場合、拭材２０の上面がクリーナ用ディスクの表面から略１．２ｍｍ程度（図２のｔの寸法）突出するように設定される。
【００２２】
このような構造をもつ本実施例の光ヘッドクリーナを光ディスク装置に、通常の光ディスクをセットするのと同じようにセットする。そして光ディスク装置を作動させることにより、光ヘッドクリーナは高速で回転し始め、光ヘッド２１（図２）がディスク１に向って降下してトック信号を読み込み、この間に前記光ヘッドクリーナの回転継続によって光ヘッド２１の先端が前記拭材２０と接触して清掃される。この動作中の振動や拭材の高さ位置のばらつき等により、前記光ヘッド２１が前記拭材２０に強く当ったりした場合にも、前記拭材２０を保持しているバネ性薄板９の中央部１８は該薄板の周辺部１７（クリーナ用ディスク１の孔７に固着されている）に対して光ヘッド２１と反対側（裏面側）へ弾性的に変位するので、前記光ヘッド２１のレンズ部は拭材２０との衝接による傷付きや損傷を被ることがない。
【００２３】
上述の実施例では拭材の設置位置をクリーナ用ディスクに対して１箇所としたが、前記ディスクの直径方向に２箇所、中心から同距離に貫通孔を設け、各孔にそれぞれ拭材の付いたバネ性薄板を固着するようにしてもよい。ディスク中心に対して対称位置に２個のバネ性薄板および拭材が設けられることにより、光ヘッドクリーナの回転時のバランスが確保され、周期的な回転むらや振動の発生が抑制され、より有効な光ヘッドレンズの清掃がなされる。
【００２４】
バネ性薄板の形状は図１に例示するものに限定されないことは勿論である。図５はバネ性薄板の他の形態を例示した拡大平面図である。この例では薄い弾性板の周辺部１７と中央部１８が４本の細長で円弧形にわん曲したうず巻き状の連結片１９で接続され、この連結片１９の弾性変形により、ディスクの貫通孔に固着される薄板周辺部１７に対して中央部１８が板面に垂直方向に弾性変位可能となっている。その他、例示の形状以外に種々の形態のものが採用可能である。これらはいずれも、薄板の打抜きプレス加工により、容易に製作可能である。
【００２５】
【発明の効果】
以上説明したように本発明によれば、光ヘッドの拭材による清掃に際し、拭材が光ヘッドのレンズに高い接触圧で接当した時にも前記拭材の保持部が裏側へ弾性的に逃げることで前記光ヘッドの毀損を防止できる。特にＤＶＤ対応光ディスク装置のように光ヘッドが光ディスク面に極近位置まで接近するような場合においては、拭材の保持部あるいはその基部と光ヘッドのレンズとの不慮の接衝によって光ヘッドが損傷したり、前記拭材が必要以上に強く光ヘッドのレンズに当たることによりレンズにすり傷が発生する危険があったが、本発明によれば、拭材が弾性的に保持されることとなるので、拭材と光ヘッドとの間には常に良好な接触圧が維持され、これによって光ヘッドのレンズ清掃が確実かつ良好になされるとともに、前記光ヘッドが傷付き等の損傷を被らない。
【００２６】
さらに本発明によれば、クリーナ用ディスクにその裏面側から拭材部分を簡単に装着することができ、したがってディスク型のクリーナを容易に製造でき、これによって安価で信頼性の高い光ヘッドクリーナが得られる等、多大の効果がもたらされる。
【図面の簡単な説明】
【図１】本発明の１実施例に係る光ヘッドクリーナの表面側からみた平面図である。
【図２】図１のＡ−Ａ線に沿った部分的な拡大縦断面図である。
【図３】本発明に係る拭材を除去した状態のクリーナ用ディスクの図２と同様部分における拡大縦断面図である。
【図４】本発明の実施例に係るバネ性薄板の拡大平面図である。
【図５】本発明の光ヘッドクリーナに適用されるバネ性薄板の他の実施例を示した拡大平面図である。
【図６】従来の光ヘッド用レンズクリーナの平面図である。
【図７】図６に示すクリーナのブラシ位置における部分的な縦断面図である
【符号の説明】
３  記録領域
４  内側環状帯部
５  外側環状帯部
７  貫通孔
９  バネ性薄板
１７  周辺部
１８  中央部
１９  連結片
２０  拭材
２１  光ヘッド
【要約】【目的】光ヘッドの拭材による清掃に際し、拭材が光ヘッドのレンズに高い接触圧で接当した時に拭材の保持部が裏側へ弾性的に逃げることで光ヘッドの毀損を防止できるようにする。
【構成】クリーナ用光ディスクのトック信号記録領域に貫通孔を穿ち、この貫通孔に、中心部が弾性変位するバネ性薄板を固着し、このバネ性薄板の中心部の表面にレンズ清掃用拭材を固着した。
【選択図】図１【図２】
0003567328.tif 000002
【図３】
0003567328.tif 000003
【図４】
0003567328.tif 000004
【図６】
0003567328.tif 000005
【図７】
0003567328.tif 000006
【図１】
0003567328.tif 000007
【図５】
0003567328.tif 000008